(57)【要約】【課題】  コンパクトな形態に折り畳むことができ、大型の物品の運搬にも対応できるキャリーバッグを提供すること。【解決手段】  本発明は、可撓性の素材から構成され、収納部Ｓを有するバッグ本体１０を備えたキャリーバッグＣＢであって、底面部１と、前記収納部Ｓの両側面及び上面を構成する胴面部２と、第１及び第２の端面部３，４と、前記胴面部２に形成された第１の開口部２ａ及び第１のスライドファスナー２ｂと、前記胴面部２と前記第１の端面部３との境界の近傍に沿って形成された第２の開口部３ａ及び第２のスライドファスナー３ｂと、前記第１の端面部３に形成された取っ手５と、前記第１の端面部３の開放端３ｃ側と前記胴面部２の上面側とを連結できるベルト８，９とを備え、物品が前記第２の開口部２ａから突出しても前記ベルト８，９によって前記収納部Ｓから抜け出さないようにできることを特徴とするキャリーバッグＣＢである。【選択図】図１
2014212986.tif 000002
【特許請求の範囲】
【請求項１】
可撓性の素材から構成され、収納部を内部に有するバッグ本体を備えたキャリーバッグであって、
前記バッグ本体が
前記収納部の底面を構成する略長方形状の底面部と、
当該底面部の長辺側と連続して前記収納部の両側面及び上面を構成する胴面部と、
前記底面部の短辺側と連続して前記収納部の両端面を構成する第１及び第２の端面部と、
前記胴面部に形成され、前記収納部に連通する第１の開口部と、
当該第１の開口部を開閉するための第１のスライドファスナーと、
前記胴面部と前記第１の端面部との境界の近傍に沿って形成され前記収納部に連通する第２の開口部と、
当該第２の開口部を開閉するための第２のスライドファスナーと、
前記第１の端面部と対応して形成された取っ手と、
前記第２の端面部と対応して形成された車輪と、
前記第２の開口部が開かれた状態となっているときに、外方へ開けられた前記第１の端面部の開放端側と前記胴面部の上面側とを連結可能とするベルトと、
を備えており、
前記収納部に収まりきらない物品が前記第２の開口部から外部に部分的に突出した状態であっても、前記ベルトによって当該物品を前記収納部から抜け出さないようにすることができ、
さらに、前記取っ手は、前記第１の端面部の開放端の近傍位置に配置されていることを特徴とするキャリーバッグ。
【請求項２】
前記ベルトは、当該ベルトの有効長を調節でき、かつ、前記第１の端面部の開放端側と前記胴面部の上面側との連結状態を解除できるバックル又は面ファスナー等からなる着脱手段を備えていることを特徴とする請求項１に記載のキャリーバッグ。
【請求項３】
前記ベルトは、折り畳んだ状態の前記バッグ本体を縛るようにして保持することができる長さを有していることを特徴とする請求項２に記載のキャリーバッグ。
【請求項４】
前記第１の端面部は、前記底面部と接する位置から前記取っ手の固定位置まで連続する補強帯を備えていることを特徴とする請求項１〜３の何れか一項に記載のキャリーバッグ。
【請求項５】
前記ベルトは、その一端部が前記取っ手の固定位置と対応して前記第１の端面部に固定されていることを特徴とする請求項４に記載のキャリーバッグ。
【発明の詳細な説明】
【技術分野】
【０００１】
本発明は、キャリーバッグに関するものであって、より詳細には、可撓性の素材から構成されてコンパクトな形態に折り畳むことができ、かつ、収納部に収まりきらない大型の物品の運搬にも対応できるキャリーバッグに関するものである。
【背景技術】
【０００２】
従来、可撓性の素材から構成されてコンパクトな形態に折り畳むことができるキャリーバッグが提案されている（特許文献１参照）。
【０００３】
そして、従来のキャリーバッグにおいては、収納部に収まりきらない大型の物品の運搬には対応できないということが当然のこととされていた。
なお、キャリーバッグの上に手持ちバッグなどを載せて保持するようにすることは従来のキャリーバッグにおいても提案されているが、これらのキャリーバッグにおいても、収納部に収まりきらない大型の物品の運搬に対応できるものではない（特許文献２、特許文献３参照）。
【０００４】
一方、近年のアウトドア用品として、設営が容易なタープのように全長の長い物品が多く使用されてきており、このような大型の物品を運搬するには、徒に大きなキャリーバッグが必要になるという問題がある。
あるいは、大型の物品の大きさに合わせた専用のキャリーバッグが必要になり、使い勝手が悪く不経済であるという問題がある。
【先行技術文献】
【特許文献】
【０００５】
【特許文献１】実用新案登録第３１２０８３８号公報
【特許文献２】特開２００９−２５４５６１号公報
【特許文献３】実用新案登録第３１６１８５０号公報
【発明の概要】
【発明が解決しようとする課題】
【０００６】
そこで、本発明が解決しようとする課題は、従来のキャリーバッグにおいて、収納部に収まりきらない大型の物品の運搬には対応することができないということであり、本発明の目的は、可撓性の素材から構成されてコンパクトな形態に折り畳むことができ、かつ、収納部に収まりきらない大型の物品の運搬にも対応でき、使い勝手に優れ経済的なキャリーバッグを提供することにある。
【課題を解決するための手段】
【０００７】
本発明は、「可撓性の素材から構成され、収納部を内部に有するバッグ本体を備えたキャリーバッグであって、前記バッグ本体が前記収納部の底面を構成する略長方形状の底面部と、当該底面部の長辺側と連続して前記収納部の両側面及び上面を構成する胴面部と、前記底面部の短辺側と連続して前記収納部の両端面を構成する第１及び第２の端面部と、前記胴面部に形成され、前記収納部に連通する第１の開口部と、当該第１の開口部を開閉するための第１のスライドファスナーと、前記胴面部と前記第１の端面部との境界の近傍に沿って形成され前記収納部に連通する第２の開口部と、当該第２の開口部を開閉するための第２のスライドファスナーと、前記第１の端面部と対応して形成された取っ手と、前記第２の端面部と対応して形成された車輪と、前記第２の開口部が開かれた状態となっているときに、外方へ開けられた前記第１の端面部の開放端側と前記胴面部の上面側とを連結可能とするベルトと、を備えており、前記収納部に収まりきらない物品が前記第２の開口部から外部に部分的に突出した状態であっても、前記ベルトによって当該物品を前記収納部から抜け出さないようにすることができ、さらに、前記取っ手は、前記第１の端面部の開放端の近傍位置に配置されていることを特徴とするキャリーバッグ」を最も主要な特徴とするものである。
【０００８】
前記ベルトは、当該ベルトの有効長を調節でき、かつ、前記第１の端面部の開放端側と前記胴面部の上面側との連結状態を解除できるバックル又は面ファスナー等からなる着脱手段を備えているものであってもよい。
また、前記ベルトは、折り畳んだ状態の前記バッグ本体を縛るようにして保持することができる長さを有しているものであってもよい。
【０００９】
前記第１の端面部は、前記底面部と接する位置から前記取っ手の固定位置まで連続する補強帯を備えているものであってもよい。
前記ベルトは、その一端部が前記取っ手の固定位置と対応して前記第１の端面部に固定されているものであってもよい。
【発明の効果】
【００１０】
上記のように構成した本発明のキャリーバッグにおいては、従来のキャリーバッグと同様に、バッグ本体の収納部に連通する第１の開口部を開いて胴面部の上面側から物品を収納部内に入れて運搬することができるばかりか、収納部に収まりきらない長く大きな物品であっても、第２の開口部を開くことにより収納部の大きさを最大限活用して収納部内に物品を入れることができる。
【００１１】
そして、前記収納部に収まりきらない物品が前記第２の開口部から外部に部分的に突出した状態であっても、外方へ開けられた前記第１の端面部の開放端側と前記胴面部の上面側とを連結可能とするベルトによって当該物品を前記収納部から抜け出さないようにすることができる。
さらに、前記取っ手は、前記第１の端面部の開放端の近傍位置に配置されているため、第２の開口部が開けられた状態であっても、取っ手を手で持つことができ、キャリーバッグの車輪を利用した物品の運搬に支障が生じることはない。
【００１２】
また、キャリーバッグ本体は可撓性の素材から構成されているため、折り畳むこともでき、キャリーバッグ自体の運搬及び保管の利便性にも優れている。
【００１３】
前記ベルトとして当該ベルトの有効長を調節でき、かつ、前記第１の端面部の開放端側と前記胴面部の上面側との連結状態を解除できるバックル又は面ファスナー等からなる着脱手段を備えているものとすることで、収納部に入りきらない物品の大きさに合わせてベルトを簡単に締め付けることができ、物品の安定的な収納状態を確保・維持して物品を運搬することができる。
【００１４】
また、前記ベルトとして、折り畳んだ状態の前記バッグ本体を縛るようにして保持することができる長さを有しているものとすることで、キャリーバッグ自体の運搬及び保管の利便性を極めて優れたものとすることができる。
【００１５】
さらに、前記第１の端面部として、前記底面部と接する位置から前記取っ手の固定位置まで連続する補強帯を備えているものとすることで、重い物品を収納したキャリーバッグであっても第１の端面部の強度を高めて取っ手を用いた物品の運搬が可能となる。
【００１６】
また、前記ベルトとして、その一端部が前記取っ手の固定位置と対応して前記第１の端面部に固定されているものとすることで、前記収納部から突出している物品を当該ベルトによって強く縛り付けることができる。
【図面の簡単な説明】
【００１７】
【図１】本発明を具体化したキャリーバッグを示す図であって、（Ａ）はバッグ本体の上面を示す平面図、（Ｂ）はバッグ本体の底面を示す底面図、（Ｃ）はバッグ本体の側面を示す側面図、（Ｄ）はバッグ本体の第１の端面部を示す一部切り欠き正面図、（Ｅ）はバッグ本体の第２の端面部を示す背面図である。
【図２】本発明を具体化したキャリーバッグに大きな物品を収納する際の様子を示すキャリーバッグの平面図である。
【図３】本発明を具体化したキャリーバッグの取っ手の位置を示すキャリーバッグの側面図である。
【図４】本発明を具体化したキャリーバッグの取っ手の位置を例示して示すキャリーバッグの正面図である。
【図５】本発明を具体化したキャリーバッグの車輪を用いて荷物を運搬する際の状態を示すキャリーバッグの側面図である。
【図６】本発明を具体化したキャリーバッグを折り畳む際の様子を示すキャリーバッグの側面図である。
【発明を実施するための形態】
【００１８】
本発明は、「可撓性の素材から構成され、収納部を内部に有するバッグ本体を備えたキャリーバッグであって、前記バッグ本体が前記収納部の底面を構成する略長方形状の底面部と、当該底面部の長辺側と連続して前記収納部の両側面及び上面を構成する胴面部と、前記底面部の短辺側と連続して前記収納部の両端面を構成する第１及び第２の端面部と、前記胴面部に形成され、前記収納部に連通する第１の開口部と、当該第１の開口部を開閉するための第１のスライドファスナーと、前記胴面部と前記第１の端面部との境界の近傍に沿って形成され前記収納部に連通する第２の開口部と、当該第２の開口部を開閉するための第２のスライドファスナーと、前記第１の端面部と対応して形成された取っ手と、前記第２の端面部と対応して形成された車輪と、前記第２の開口部が開かれた状態となっているときに、外方へ開けられた前記第１の端面部の開放端側と前記胴面部の上面側とを連結可能とするベルトと、を備えており、前記収納部に収まりきらない物品が前記第２の開口部から外部に部分的に突出した状態であっても、前記ベルトによって当該物品を前記収納部から抜け出さないようにすることができ、さらに、前記取っ手は、前記第１の端面部の開放端の近傍位置に配置されていることを特徴とするキャリーバッグ」であって、以下において説明する実施の形態などにより好適に具体化することができる。
【００１９】
以下、本発明のキャリーバッグを具体化した一実施形態について説明する。
【００２０】
図１及び図２に示すように、本発明の一実施形態のキャリーバッグＣＢは、可撓性の布素材から構成され略直方体形状の収納部Ｓを内部に有するバッグ本体１０を備えており、当該バッグ本体１０は、前記収納部Ｓの底面を構成する略長方形状の底面部１と、当該底面部１の長辺側と連続して前記収納部Ｓの両側面及び上面を構成する胴面部２と、前記底面部１の短辺側と連続して前記収納部Ｓの両端面を構成する第１の端面部３及び第２の端面部４を備えている。
【００２１】
さらに、前記バッグ本体１０は、前記胴面部２の上面に形成され、前記収納部Ｓに連通する第１の開口部２ａと、当該第１の開口部２ａを開閉するための第１のスライドファスナー２ｂを備えている。
前記第１の開口部２ａは、胴面部２上面の３辺に沿うように略「コ」字状に形成されており、キャリーバッグＣＢの上面を大きく開けて収納部Ｓに上方からアクセス可能となっている。
【００２２】
前記バッグ本体１０は、図１（Ｄ）に示すように、前記胴面部２と前記第１の端面部３との境界の近傍に沿って形成され前記収納部Ｓに連通する第２の開口部３ａと、当該第２の開口部３ａを開閉するための第２のスライドファスナー３ｂを備えている。
従って、第２の開口部３ａによりキャリーバッグＣＢの一端面を大きく開けて収納部Ｓに水平方向からもアクセス可能となっている。
【００２３】
さらに、前記バッグ本体１０は、前記第１の端面部３に固定された取っ手５と、前記第２の端面部４に固定された取っ手６と、前記第２の端面部４の底面部１側のコーナー部に固定された２個の車輪７とを備えている。
また、前記第１の端面部３は、平行に配置されて固定されたポリプロピレン製の布からなる２本のベルト８を備えており、当該ベルト８の基部８ａは、前記底面部１から前記第１の端面部３の開放端３ｃ付近に至るまで当該第１の端面部３に縫い付けられている。
【００２４】
前記取っ手５，６は、把持部５ａ，６ａと、当該把持部５ａ，６ａの両端部に固定された布片５ｂ，６ｂとから構成されており、前記取っ手５の布片５ｂは、その基端部が、前記ベルト８の基部８ａ上に固定されている。
従って、前記第１の端面部３に縫い付けられている前記ベルト８の基部８ａは、補強帯として機能するものである。
【００２５】
前記第１の端面部３に縫い付け固定されたベルト８は、その先端側が前記第１の端面部３の開放端３ｃから長く延び出ており、当該ベルト８の有効長を調節できる着脱手段としてのバックル８ｂを備えている。
【００２６】
前記第１の端面部３の開放端３ｃと隣接する前記胴面部２の上面には、前記ベルト８の固定位置と対応して２本のベルト９の基部９ａが固定されている。
このベルト９は、その先端側に、当該ベルト９の有効長を調節できる着脱手段としてのバックル９ｂを備えている。
そして、前記バックル８ｂと前記バックル９ｂとを連結することで、前記第２の開口部３ａが開かれた状態となっているときに、外方へ開けられた前記第１の端面部３の開放端３ｃ側と前記胴面部２の上面側とをベルト８，９によって連結できるようになっている。
【００２７】
従って、前記収納部Ｓに収まりきらない長い物品Ｔが前記第２の開口部３ａから外部に部分的に突出した状態であっても、前記ベルト８，９のバックル８ｂ，９ｂを連結することによって当該物品Ｔを前記収納部Ｓから抜け出さないようにすることができ、当該物品Ｔの運搬が可能となる。
【００２８】
ここで、前記取っ手５は、人の手によって握られる部分である把持部５ａが図３及び図４に示す３つの具体例のように、前記第１の端面部３の開放端３ｃの近傍位置Ｚに配置できるようになっている。
この取っ手５の固定位置としては、取っ手５の把持部５ａが図３（Ｃ）及び図４の左側の具体例に示すように、前記第１の端面部３の開放端３ｃよりも外方に延び出る位置Ｚ１まで届くように配置されるのが大きな物品Ｔを運搬する際にも把持部５ａを手で持ち易いため、特に好ましい（図５参照）。
【００２９】
前記ベルト８，９は、前記バックル８ｂ、９ｂの連結を解除した後、図６に示すように折り畳んだ状態の前記バッグ本体１０を縛るようにしてから、再びバックル８ｂ，９ｂを連結することで、バッグ本体１０を折り畳んだ状態で保持することができる長さを有している。
【００３０】
なお、前記バッグ本体１０の底面部１及び第２の端面部４には、厚さ４ｍｍのポリエチレン製の補強板１１が配置されているが、この補強板１１はある程度曲げることができ、かつ、底面部１の中央部には配置されていないので、バッグ本体１０を丸めるようにして折り畳むことができる（図６参照）。
【００３１】
また、バッグ本体１０は、全体をしっかりと固定し、少ない荷物も安定して運べるように、キャリーバッグＣＢの胴面部２を縛り付けることができる２本の荷物固定ベルト１２を備えている。
この荷物固定ベルト１２は、その基部１２ａが、底面部１と接する位置から胴面部２の側面上部に至るまで胴面部２に縫い付けられており、先端側にはバックル１２ｂを備えている。そして、この荷物固定ベルト１２を用いることで、胴面部２の上面に荷物を載せてバッグ本体１０に縛り付けることによっても、収納部Ｓに入れられない荷物などを運搬することができる。
【００３２】
次に、本発明のキャリーバッグＣＢを製造する方法について説明する。
本発明のキャリーバッグＣＢは、バッグ本体１０を構成する可撓性の素材として例えばポリエステル製の防水加工布に加え、スライドファスナー、取っ手、ベルト、バックル等を用意し、従来のキャリーバッグを製造する際に用いられている裁断技術及び縫製技術を用いて製造可能である。
【００３３】
即ち、本発明のキャリーバッグＣＢのバッグ本体１０を構成する布を裁断した後、スライドファスナー２ｂ，３ｂ、取っ手５，６、ベルト８，９、荷物固定ベルト１２などを所定位置に縫製することで、キャリーバッグＣＢを製造できる。
前記バッグ本体１０の収納部Ｓのサイズの一例としては、全長約９５ｃｍ、高さ約３０ｃｍ、幅約４５ｃｍ程度のものとすることができる。
【００３４】
上記構成された本発明のキャリーバッグＣＢにおいては、前記第１の開口部２ａに装着されているスライドファスナー２ｂを開けることで、キャリーバッグＣＢの上面を大きく開けて各種の物品を収納部Ｓに入れることができる。
この場合、収納部Ｓに入れることができる物品は、従来のキャリーバッグと同様、前記第１の開口部２ａを通過できる大きさのものに限られる。
【００３５】
さらに、上記構成された本発明のキャリーバッグＣＢにおいては、収納部Ｓに入りきらない長さを有するタープのような大きい物品Ｔであっても、前記第２の開口部３ａに装着されているスライドファスナー３ｂを開けることで、キャリーバッグＣＢの水平方向から物品Ｔを収納部Ｓに差し込むことができる。
この場合、前記収納部Ｓに収めきれない物品Ｔが前記第２の開口部３ａから外部に部分的に突出した状態であっても、前記ベルト８，９の有効長を調節しつつバックル８ｂ，９ｂを連結することで、当該物品Ｔを前記収納部Ｓから抜け出さないようにすることができる。
【００３６】
そして、上記にて一例として挙げたサイズの収納部Ｓであれば、長さ約１２０ｃｍ〜１３０ｃｍ程度の物品Ｔであっても、前記収納部Ｓに入れてから前記取っ手５の把持部５ａを持ち、前記車輪７を活用して当該物品Ｔを運搬することが可能となる（図５参照）。
あるいは、バッグ本体１０の両端部に設けた前記取っ手５，６の把持部５ａ，６ａを持つことで、前記車輪７を活用することなく前記物品Ｔを運搬することが可能となる。
【００３７】
本発明のキャリーバッグＣＢにおいては、既に説明したとおり、キャリーバッグＣＢ自体の運搬及び保管の際に、図６に示すように折り畳んでベルト８，９にて固定することができるが、上記にて一例として挙げたサイズの収納部Ｓを備えたバッグ本体１０であれば約５０×３５×２０ｃｍ程度の大きさにコンパクト化することができる。
【００３８】
本発明は上記実施形態に限定されるものではなく、ベルト８，９のバックル８ｂ，９ｂに代えて面ファスナーを用いてベルト８，９の有効長を変更することができるようにして実施してもよい。
また、伸縮性に富んだベルト８，９を用いる場合には、ベルト８，９の有効長を変更するためのバックル８ｂ，９ｂや面ファスナーを用いないで実施することも可能である。
さらには、第２の端面部４に取っ手６を設けないで実施することも可能である。
【００３９】
本発明は上記各実施形態に限定されるものではなく、本発明の趣旨を逸脱しない範囲でバッグ本体やベルトなど各部の材質、形状、強度、設置位置、厚さ、大きさ、数などを適宜変更して実施してもよい。
例えば、上記実施形態の収納部Ｓは、略直方体形状としたが、バッグ本体の上面を湾曲させた蒲鉾形状又は略半円柱形状として実施してもよい。
【産業上の利用可能性】
【００４０】
本発明は、工業的に製造可能なキャリーバッグであって、キャンプやアウトドアスポーツなどに用いる重いキャンプ用品や運動用具などの運搬に適する車輪及び取っ手を備えており、かつ、収納部の大きさや容積を超える荷物であっても運搬できるという対応能力に優れており、さらには、キャリーバッグ自体の運搬・保管にも便利なキャリーバッグとして幅広く利用可能である。
【符号の説明】
【００４１】
ＣＢ    キャリーバッグ
Ｓ    収納部
Ｔ    物品
Ｚ    第１の端面部の開放端の近傍位置
Ｚ１  第１の端面部の開放端の近傍位置
（第１の端面部の開放端よりも外方に延び出る位置）
１０    バッグ本体
１    底面部
２    胴面部
２ａ  第１の開口部
２ｂ  第１のスライドファスナー
３    第１の端面部
３ａ  第２の開口部
３ｂ  第２のスライドファスナー
３ｃ  開放端
４    第２の端面部
５    取っ手
５ａ  把持部
５ｂ  布片
６    取っ手
６ａ  把持部
６ｂ  布片
７    車輪
８    ベルト
８ａ  ベルトの基部（補強帯）
８ｂ  バックル（着脱手段）
９    ベルト
９ａ  ベルトの基部
９ｂ  バックル（着脱手段）
１１    補強板
１２    荷物固定ベルト
１２ａ  荷物固定ベルトの基部
１２ｂ  バックル
【図１】
2014212986.tif 000003
【図２】
2014212986.tif 000004
【図３】
2014212986.tif 000005
【図４】
2014212986.tif 000006
【図５】
2014212986.tif 000007
【図６】
2014212986.tif 000008